(57)【要約】【課題】斬新なデザインを有するとともに環境及び動物を保護し、実用的な線ファスナ式ポーチを提供する。【解決手段】線ファスナ式ポーチ１００は、シリコーンからなる被覆部材１と、線ファスナ部材２とを備える。被覆部材１は、互いに接合されて包体１０を覆い、包体１０は、収納空間１０１と、収納空間１０１に連通した収納開口部１０２とを含む。線ファスナ部材２は、収納開口部１０２に縫い付けられ、収納開口部１０２を開閉する。被覆部材１の表面には、造形部が凹凸状に形成されている。被覆部材１又は線ファスナ部材２上に配設された装飾部材３をさらに備える。被覆部材１上に配設された持ち手部材４をさらに備える。包体１０を覆う被覆部材１を互いに接合させるミシン目１１をさらに備える。被覆部材１の表面に縫い付けられた装飾ミシン目３２をさらに備える。【選択図】図１
0003185506.tif 000002
【実用新案登録請求の範囲】
【請求項１】
シリコーンからなる被覆部材と、線ファスナ部材とを備えた線ファスナ式ポーチであって、
前記被覆部材は、互いに接合されて包体を覆い、前記包体は、収納空間と、前記収納空間に連通した収納開口部と、を含み、
前記線ファスナ部材は、前記収納開口部に縫い付けられ、前記収納開口部を開閉することを特徴とする線ファスナ式ポーチ。
【請求項２】
前記被覆部材の表面には、造形部が凹凸状に形成されていることを特徴とする請求項１に記載の線ファスナ式ポーチ。
【請求項３】
前記被覆部材は、互いに結合された複数のサブ被覆部材であることを特徴とする請求項１に記載の線ファスナ式ポーチ。
【請求項４】
前記サブ被覆部材は、２種類以上の色の単色サブ被覆部材を含むことを特徴とする請求項３に記載の線ファスナ式ポーチ。
【請求項５】
前記被覆部材は、前記包体から外方へ延びて形成された引掛け孔部を有することを特徴とする請求項１に記載の線ファスナ式ポーチ。
【請求項６】
前記引掛け孔部へ係合する肩掛け部材をさらに備えることを特徴とする請求項５に記載の線ファスナ式ポーチ。
【請求項７】
前記被覆部材又は前記線ファスナ部材上に配設された装飾部材をさらに備えることを特徴とする請求項１に記載の線ファスナ式ポーチ。
【請求項８】
前記被覆部材上に配設された持ち手部材をさらに備えることを特徴とする請求項１に記載の線ファスナ式ポーチ。
【請求項９】
前記包体を覆う前記被覆部材を互いに接合させるミシン目をさらに備えることを特徴とする請求項１に記載の線ファスナ式ポーチ。
【請求項１０】
前記被覆部材の表面に縫い付けられた装飾ミシン目をさらに備えることを特徴とする請求項１に記載の線ファスナ式ポーチ。
【考案の詳細な説明】
【技術分野】
【０００１】
本考案は、バッグに関し、特に、線ファスナ式ポーチに関する。
【背景技術】
【０００２】
「バッグ」は、物品を収納するために用い、柔らかい材料からなるため、物品を収納していないときは押し潰したり折り畳んで体積を小さくして携帯及び収納に便利なため広く利用されている。バッグは用途に依り財布、買い物バッグ、登山用バッグ、ブリーフケース、旅行用バッグなどに分類される他、材質に依り皮製、布製、麻布製、紙製などのバッグに分類される。生活水準の向上に伴い、バッグは、物品を収納するために用いられる他、造形、模様、アタッチメントなどによりバッグの外表面に多様なデザインを施して、流行りのデザインに設計したり富を誇示する手段としても用いられる。
【０００３】
近年、消費者の意識が高まるに従い、ユーザの関心はバッグの外観の美しさ以外にも向けられるようになってきている。例えば、合成皮革の製造過程で使用される溶剤が環境を汚染することから、合成皮革製バッグの購入を避けるようになったり、動物保護のために皮製バッグの購入を避けたり、破れ易かったり防水性を有さない紙製、麻製又は布製のバッグの購入意欲が低下したりした。そのため、斬新な設計を有するとともに、消費者の様々な要求を満たすバッグが求められていた。
【考案の概要】
【考案が解決しようとする課題】
【０００４】
そのため、本考案の目的は、斬新なデザインを有するとともに環境及び動物を保護し、実用的な線ファスナ式ポーチを提供することにある。
【課題を解決するための手段】
【０００５】
上記課題を解決するために、本考案の第１の形態によれば、シリコーンからなる被覆部材と、線ファスナ部材とを備えた線ファスナ式ポーチであって、前記被覆部材は、互いに接合されて包体を覆い、前記包体は、収納空間と、前記収納空間に連通した収納開口部と、を含み、前記線ファスナ部材は、前記収納開口部に縫い付けられ、前記収納開口部を開閉することを特徴とする線ファスナ式ポーチが提供される。
【０００６】
前記被覆部材の表面には、造形部が凹凸状に形成されていることが好ましい。
【０００７】
前記被覆部材は、互いに結合された複数のサブ被覆部材であることが好ましい。
【０００８】
前記サブ被覆部材は、２種類以上の色の単色サブ被覆部材を含むことが好ましい。
【０００９】
前記被覆部材は、前記包体から外方へ延びて形成された引掛け孔部を有することが好ましい。
【００１０】
前記引掛け孔部へ係合する肩掛け部材をさらに備えることが好ましい。
【００１１】
前記被覆部材又は前記線ファスナ部材上に配設された装飾部材をさらに備えることが好ましい。
【００１２】
前記被覆部材上に配設された持ち手部材をさらに備えることが好ましい。
【００１３】
前記包体を覆う前記被覆部材を互いに接合させるミシン目をさらに備えることが好ましい。
【００１４】
前記被覆部材の表面に縫い付けられた装飾ミシン目をさらに備えることが好ましい。
【考案の効果】
【００１５】
本考案の線ファスナ式ポーチは、シリコーンからなる被覆部材を自在に接合させて包体を覆うことにより様々なデザインを施すことができる。また、シリコーンは毒性を有さず、かつ、安定した性質を有するため、環境を汚染することがなく、動物の毛皮を使用せずに鮮やかな色合いを得ることができる。これにより、環境及び動物を保護することができる。さらに、本考案の線ファスナ式ポーチは、柔らかで弾性を有し、破れにくくて使用寿命が長く、防水性により中に設置した物品が水気及び塵から守られるため、耐久性に優れ、防水・防塵機能を備えて実用的である。
【図面の簡単な説明】
【００１６】
【図１】図１は、本考案の一実施形態に係る線ファスナ式ポーチを示す斜視図である。
【図２】図２は、本考案の他の実施形態に係る線ファスナ式ポーチを示す斜視図である。
【図３】図３は、本考案の他の実施形態に係る線ファスナ式ポーチを示す斜視図である。
【図４】図４は、本考案の他の実施形態に係る線ファスナ式ポーチを示す斜視図である。
【図５】図５は、本考案の他の実施形態に係る線ファスナ式ポーチを示す斜視図である。
【図６】図６は、本考案の他の実施形態に係る線ファスナ式ポーチを示す斜視図である。
【考案を実施するための形態】
【００１７】
以下、本考案の実施形態について図に基づいて説明する。なお、これによって本考案が限定されるものではない。
【００１８】
図１〜図６を参照する。図１〜図６に示すように、本考案の一実施形態に係る線ファスナ式ポーチ１００は、少なくともシリコーンからなる被覆部材１と、線ファスナ部材２とから構成される。
【００１９】
被覆部材１は、シリコーン（ｓｉｌｉｃｏｎｅ）からなり、弾性、低熱伝導性、低化学反応性、無毒性、熱安定性、防水性、絶縁性、無粘着性、耐酸化性、耐紫外線などの特性を有する。被覆部材１は、プレート状であり、接着、溶接、或いはミシン目１１の接合により包体１０を覆ってもよい。
【００２０】
包体１０は、収納空間１０１及び収納開口部１０２を含む。包体１０の形状は、直方体でもよいし（図１、図２及び図６参照）、断面が台形状に形成された立体でもよいし（図３参照）、断面がハート形に形成された立体でもよいし（図４参照）、断面が三角形に形成された立体でもよい（図５参照）。収納空間１０１の個数は１つだけに限定されるわけではなく、構造設計及び必要に応じて複数の空間を有してもよい上、それら複数の空間は互いに連通してもよいし連通しなくともよく、多重層又は単層構造に形成されてもよい。収納開口部１０２へ物品を通過させて収納空間１０１へ置いたり、収納空間１０１から取り出したりすることができるように、収納開口部１０２と収納空間１０１とは連通している。
【００２１】
線ファスナ部材２は、収納開口部１０２に縫い付けられ、収納開口部１０２を開閉するために使用される。線ファスナ部材２は、材料に依り金属製、プラスチック製又はその他の材料からなる線ファスナに分けられる。好適には、塵及び水気が収納空間１０１に入り込まないようにして線ファスナ式ポーチ１００の防水を完璧に行う防水性線ファスナを採用することが好ましい。
【００２２】
詳細には、被覆部材１を利用して様々な模様及び造形を形成し、シリコーンの異なる密度、種類、厚さ、染色などにより視覚的に様々な明暗、透明度及び色彩を表す。被覆部材１の表面には、多様な変化をつけるために造形部１２が凹凸状に形成されてもよい。また、図３の線ファスナ式ポーチ１００ｂが示すように、造形部１２のハート形を突出させたり、図４の線ファスナ式ポーチ１００ｃの造形部１２が、曲線と、点状の凹体とを含んでもよい。
【００２３】
単体の被覆部材１を接合させて包体１０を覆う以外に、その他の構造の包体１０を使用してもよい。図５の線ファスナ式ポーチ１００ｄに示すように、被覆部材１は、複数のサブ被覆部材１ａ，１ｂを含む。サブ被覆部材１ａ，１ｂは、織って互いに結合されて形成された包体１０により高い構造強度及び立体感を得る。勿論、サブ被覆部材１ａ，１ｂの接合方式は、織って形成する方式以外に、重ねる方式や縁接合方式などを利用してもよい。また、これら複数のサブ被覆部材１ａ，１ｂは、それぞれ異なる色を有する単色サブ被覆部材であり、２種類以上の色を交互に組み合わせて、包体１０の色彩及び模様を豊かにしてもよい。
【００２４】
選択的に被覆部材１又は線ファスナ部材２上に装飾部材３（例えば、金属装飾部材３１、シリコーンからなる装飾部材３２など）を配設してもよい。これら複数の装飾部材３は、粘着方式により被覆部材１又は線ファスナ部材２へ配設したり、装飾ミシン目３３を利用して被覆部材１の表面へ縫い付けたりしてもよい。勿論、本考案はこれだけに限定されるわけではなく、他の種類の装飾部材３及び他の種類の設置方式を選択してもよい。また、装飾ミシン目３３は、単独で被覆部材１の表面へ縫製して模様を形成してもよい（例えば、図５の線ファスナ式ポーチ１００ｄ参照）。
【００２５】
また、被覆部材１上には、ユーザが手で持つことができるように、持ち手部材４（例えば、シリコーンからなる持ち手又は金属からなる持ち手）を配設してもよい。持ち手部材４は、包体１０の何れかの側部に位置（例えば、本実施形態の持ち手部材４は、線ファスナ部材２と同じ側に位置する）してもよい。ここで持ち手部材４は、本実施形態では被覆部材１から独立した部材であるが、機能及び見た目の必要に応じて両者を一体成形してもよい。また、図２の線ファスナ式ポーチ１００ａに示すように、被覆部材１の引掛け孔部１３へ係合する肩掛け部材５を被覆部材１上へさらに配設してもよい。引掛け孔部１３は、包体１０から外方へ延びて形成された箇所であり、肩掛け部材５を係合させる接続孔が形成されている。
【００２６】
上述したことから分かるように、本考案の線ファスナ式ポーチは、シリコーンからなる被覆部材を自在に接合させて包体を覆うことにより様々なデザインを施すことができる。また、シリコーンは毒性を有さず、かつ、安定した性質を有するため、環境を汚染することがなく、動物の毛皮を使用せずに鮮やかな色合いを得ることができる。これにより、環境及び動物を保護することができる。さらに、本考案の線ファスナ式ポーチは、柔らかで弾性を有し、破れにくくて使用寿命が長く、防水機能により中に設置した物品が水気及び塵から守られるため、耐久性に優れ、防水・防塵機能を備えて実用的である。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１  被覆部材
１ａ  サブ被覆部材
１ｂ  サブ被覆部材
２  線ファスナ部材
３  装飾部材
４  持ち手部材
５  肩掛け部材
１０  包体
１１  ミシン目
１２  造形部
１３  引掛け孔部
３１  金属装飾部材
３２  シリコーンの装飾部材
３３  装飾ミシン目
１００  線ファスナ式ポーチ
１００ａ  線ファスナ式ポーチ
１００ｂ  線ファスナ式ポーチ
１００ｃ  線ファスナ式ポーチ
１００ｄ  線ファスナ式ポーチ
１００ｅ  線ファスナ式ポーチ
１０１  収納空間
１０２  収納開口部
【図１】
0003185506.tif 000003
【図２】
0003185506.tif 000004
【図３】
0003185506.tif 000005
【図４】
0003185506.tif 000006
【図５】
0003185506.tif 000007
【図６】
0003185506.tif 000008